(57)【要約】      （修正有）【課題】より好ましい安全性を有し、且つ鼻毛を引っ張りにくい構造を備えた鼻毛カッターの刃ヘッド構造を提供する。【解決手段】伝動素子１１を有するグリップ１０に接続されるための鼻毛カッターの刃ヘッド構造に関し、前記グリップの伝動素子に接続されることで前記伝動素子に駆動されて回動するための接続端２１と固定端２２とを具えた稼動刃ベース２０と、前記稼動刃ベースの固定端２２に接続されて、前記稼動刃ベースと連動し、頂端と外側端にそれぞれ切断面を有する複数の刃ヘッドを具えた稼動刃３０と、前記稼動刃及び前記稼動刃ベースの外部に嵌設されるための嵌設端４１とほぼＬ字形を呈する複数の穿孔４３を有する保護端４２とを具えた固定刃４０と、を備える。【選択図】図１
0003161441.tif 000002
【実用新案登録請求の範囲】
【請求項１】
伝動素子を有するグリップに接続されるための鼻毛カッターの刃ヘッド構造であって、
前記グリップの前記伝動素子に接続されることで前記伝動素子によって駆動されて回動するための接続端と固定端とを具えた稼動刃ベースと、
前記稼動刃ベースの前記固定端に接続されて、前記稼動刃ベースと連動し、頂端と外側端にそれぞれ切断面を有する複数の刃ヘッドを具えた稼動刃と、
前記稼動刃及び前記稼動刃ベースの外部に嵌設されるための嵌設端とほぼＬ字形を呈する複数の穿孔を有する保護端とを具えた固定刃と、
を備えることを特徴とする鼻毛カッターの刃ヘッド構造。
【請求項２】
インナーブッシングを更に含み、前記インナーブッシングの頂端部に前記固定刃が位置決めされ、前記インナーブッシングには、開口ベースが設けられ、前記固定刃の頂端が前記開口ベースを貫くことで、前記固定刃の前記穿孔が前記インナーブッシングの外に露出されることを特徴とする請求項１に記載の鼻毛カッターの刃ヘッド構造。
【請求項３】
前記インナーブッシングの外部に嵌設され、前記固定刃を外に露出させるための開口が設けられている外蓋を更に含むことを特徴とする請求項２に記載の鼻毛カッターの刃ヘッド構造。
【請求項４】
前記稼動刃ベースの前記接続端は、前記伝動素子に嵌設されるための枢接孔であることを特徴とする請求項１に記載の鼻毛カッターの刃ヘッド構造。
【請求項５】
前記稼動刃ベースの前記固定端には、内部に位置決め孔が凹設され、前記稼動刃において前記稼動刃ベースの前記位置決め孔と対向する位置には対応する位置決め柱が設けられ、前記位置決め柱が前記位置決め孔に嵌設されることで、前記稼動刃が前記稼動刃ベースの前記固定端に固定されることを特徴とする請求項１に記載の鼻毛カッターの刃ヘッド構造。
【請求項６】
前記稼動刃ベースの前記位置決め孔には二つの位置決め凸部が形成され、前記稼動刃の前記位置決め柱における前記稼動刃ベースの前記二つの位置決め凸部と対向する位置には、対応する二つの位置決め凹溝が形成されていることを特徴とする請求項１に記載の鼻毛カッターの刃ヘッド構造。
【請求項７】
前記稼動刃と前記固定刃は、セラミックス材料を用いて射出成形によってブランクを成形し、更に高温で焼結させて形成したことを特徴とする請求項１に記載の鼻毛カッターの刃ヘッド構造。
【請求項８】
前記稼動刃と前記固定刃は、金属粉末の粒子を凝集させた後射出成形によって成形したブランクを、更に高温で焼結させて形成したことを特徴とする請求項１に記載の鼻毛カッターの刃ヘッド構造。
【考案の詳細な説明】
【技術分野】
【０００１】
本考案は「鼻毛カッターの刃ヘッド構造」に関し、特に鼻毛カッター専用であり、鼻毛をカットするのに用いられる刃ヘッド構造に関する。
【背景技術】
【０００２】
中華民国（台湾）公告第088254号には、回転式の「鼻毛カッター」が開示されている。これは、手動式の鼻毛カッターであり、主にインナーカッターロッド、ベアリング、錐体アウターカッターパイプ、グリップロッド及び回転ロッドから成る。前記インナーカッターロッド先端には若干のＶ字形の切り欠きが設けられ、円筒を呈して配列されるインナーカッター部が形成されている。前記ベアリングは、前記インナーカッターロッドに嵌設されている。前記錐体アウターカッターパイプは、インナーカッターロッド先端のインナーカッター部外側に嵌設され、鼻腔が保護されるように先端が適度な錐体の傾斜角を有し、内部は筒状を呈し、その円周上に若干のＶ字形の切り欠きが切り込まれ、円筒を呈して配列されるアウターカッターベース部が形成されている。前記グリップロッドは、中空状でインナーカッターロッド外部に嵌設され、上端が錐体アウターカッターパイプにロックされている。前記回転ロッドは、グリップロッドの底部でインナーカッターロッドの後部と相互に螺合接続されている。
【０００３】
これにより、回転ロッドの回動を介して、インナーカッターロッドをグリップロッド内で回動させるとともに、インナーカッターロッド先端のインナーカッター部を錐体アウターカッターパイプ内部で回動させている。そして、錐体アウターカッターパイプを鼻腔内部に挿入すると、鼻毛がＶ字形の溝から錐体アウターカッターパイプ内部深くに入り、インナーカッター部によって鼻毛をカットする効果を奏している。
【先行技術文献】
【特許文献】
【０００４】
【特許文献１】中華民国（台湾）公告第088254号
【考案の概要】
【考案が解決しようとする課題】
【０００５】
しかしながら、これらの方法による手動式鼻毛カッターでは、鼻毛をカットする効果を得るためには、使用時に片方の手でグリップロッドを握り、もう片方の手で回転ロッドを回動させる必要があるため、使用者による操作上、著しい不便を生じていた。
【０００６】
そのため、本考案の考案者は、長い間対策が先送りにされてきた上述の問題が解決されるべき極めて重要な課題であることに鑑み、長年に亘ってこの分野の製品の研究、設計、製造に関する豊富な経験を積み、積極的に全身全霊を注いで研究して来た結果、本考案「鼻毛カッターの刃ヘッド構造」を考案するに至った。
【０００７】
本考案は、鼻毛カッター専用であり、鼻毛をカットするのに用いられる刃ヘッド構造を提供することを主な課題とする。
【課題を解決するための手段】
【０００８】
そこで、本考案に係る鼻毛カッターの刃ヘッド構造は、伝動素子を有するグリップに接続されるために用いられ、前記グリップの伝動素子に接続されることで前記伝動素子に駆動されて回転するための接続端と固定端とを具えた稼動刃ベースと、前記稼動刃ベースの固定端に接続されて、前記稼動刃ベースと連動し、頂端と外側端にそれぞれ切断面を有する複数の刃ヘッドを具えた稼動刃と、前記稼動刃及び前記稼動刃ベースの外部に嵌設されるための嵌設端とほぼＬ字形を呈する複数の穿孔を有する保護端とを具えた固定刃と、を備える。
【考案の効果】
【０００９】
このように、上述の部材によって、より好ましい安全性を有し、且つ鼻毛を引っ張りにくい構造の刃ヘッド構造を提供する。
【図面の簡単な説明】
【００１０】
【図１】本考案の組み合わせ前の分解状態を示す図である。
【図２】本考案の稼動刃ベースと稼動刃の分解状態を示す図である。
【図３】本考案の組み合わせ後の状態を示す図である。
【図４】本考案の組み合わせ後の断面を示す図である。
【実施例】
【００１１】
本考案に係る鼻毛カッターの刃ヘッド構造の構造構成について、図１及び図２に示すように、この鼻毛カッターの刃ヘッド構造は、主に伝動素子１１を有するグリップ１０に接続されるためのものであり、稼動刃ベース２０と、稼動刃３０と、固定刃４０と、インナーブッシング５０と、外蓋６０と、を含む。以下、各構成要素について詳述する。
【００１２】
稼動刃ベース２０は、接続端２１と固定端２２とを具える。接続端２１の内部にはグリップ１０の伝動素子１１に嵌設されるための枢接孔２３が設けられ、それによって、稼動刃ベース２０は、グリップ１０の伝動素子１１に接続固定され、伝動素子１１によって駆動されて回動する。また、固定端２２には、内部に位置決め孔２４が凹設され、且つ位置決め孔２４の側壁には二つの位置決め凸部３６が形成されている。
【００１３】
稼動刃３０は、稼動刃ベース２０の固定端２２に接続され、その稼動刃ベース２０の位置決め孔２４と対向する位置には位置決め柱３１が設けられ、且つ位置決め柱３１における稼動刃ベース２０の二つの位置決め凸部３６と対向する位置には、二つの位置決め凹溝２５が形成されている。位置決め柱３１が稼動刃ベース２０の位置決め孔２４に嵌設されることで、稼動刃３０が稼動刃ベース２０の固定端２２に固定され、位置決め凹溝２５と位置決め凸部３６を設けたことで、稼動刃３０が稼動刃ベース２０と連動する。稼動刃３０には複数の刃ヘッド３２が設けられ、且つ刃ヘッド３２の頂端３３と外側端３４にはそれぞれ切断面３５が設けられている。
【００１４】
固定刃４０は、嵌設端４１と保護端４２とを具える。嵌設端４１は、稼動刃３０及び稼動刃ベース２０の外部に嵌設され、保護端４２にはほぼＬ字形を呈する複数の穿孔４３が設けられている。
【００１５】
インナーブッシング５０は、固定刃４０の底部に嵌設される。また、このインナーブッシング５０には開口ベース５１が設けられ、当該開口ベース５１の頂端部に固定刃４０の嵌設端４１が位置決めされる。
【００１６】
外蓋６０は、インナーブッシング５０の外部に嵌設される。また、この外蓋６０には、固定刃４０の穿孔４３を外蓋６０の外に露出させるための開口６１が設けられている。
【００１７】
更に図３にしめすように、固定刃４０の保護端４２には複数の穿孔４３が設けられているため、固定刃４０を人体の鼻腔内部に挿入した後、鼻毛が穿孔４３を貫いて、固定刃４０内部に進入する。固定刃４０の穿孔４３はほぼＬ字形を呈するため、鼻毛は様々な方向から固定刃４０内部に進入することになる。
【００１８】
更に図４に示すように、稼動刃３０は、固定刃４０の内部に設けられ、且つ稼動刃ベース２０とグリップ１０の伝動素子１１との接続を介して、稼動刃３０が伝動素子１１の駆動によって固定刃４０内部で回動する。稼動刃３０には複数の刃ヘッド３２が設けられ、当該刃ヘッド３２の頂端３３と外側端３４にはそれぞれ切断面３５が設けられているため、鼻毛が固定刃４０内部に進入した後、刃ヘッド３２の頂端３３と外側端３４の切断面３５によって鼻毛のカットを行うことができ、様々な方向で切断する効果を達成できる。
【００１９】
また、本実施例においては、稼動刃３０と固定刃４０は、セラミックス材料を用いて、或いは金属粉末の粒子を凝集させた後、射出成形によって成形したブランクを、更に高温で焼結させて材料の緻密な完成品として形成してもよい。しかも、セラミックス材料や金属粉末を高温で焼結させて形成すれば、どのように洗浄したとしても錆が生じる虞はなく、個人の使用における衛生と安全を一層確保でき、個人の身体の健康にも有益である。
【００２０】
本考案の上記実施例は、その各名称も含めて本考案の技術内容を分かりやすく説明するための例示にすぎず、本考案の権利範囲を何ら制限するものではない。本考案の主旨に基づいて行われた等価の素子の変更、置換は、いずれも本考案の保護範囲に属するものである。
【符号の説明】
【００２１】
１０  グリップ
１１  伝動素子
２０  稼動刃ベース
２１  接続端
２２  固定端
２３  枢接孔
２４  位置決め孔
２５  位置決め凹溝
３０  稼動刃
３１  位置決め柱
３２  刃ヘッド
３３  頂端
３４  外側端
３５  切断部
３６  位置決め凸部
４０  固定刃
４１  嵌設端
４２  保護端
４３  穿孔
５０  インナーブッシング
５１  開口ベース
６０  外蓋
６１  開口
【図１】
0003161441.tif 000003
【図２】
0003161441.tif 000004
【図３】
0003161441.tif 000005
【図４】
0003161441.tif 000006